(57)【要約】      （修正有）【課題】極めて薄いウエットテッシュペーパー等を拭き布として拭け、また携帯として、また保管に考慮しコンパクトにした携帯兼用ウエットテッシュペーパー保持具を提供する。【解決手段】板状に形成したスポンジを基板１とし、その基板底面部３を内側として二つ折りにするため、基板１を左右均等に縦方向に切断し、この切断部分４を開閉のための可動部分とするために、分割された二枚の基板１の底面部分を一連として連結するため、その底面部３全面に化繊布等を貼着する。また、保持具を手で可動させるための保持部２として保持具上面に帯状テープ等を緩みを持って装着する。【選択図】図１
0003197112.tif 000002
【実用新案登録請求の範囲】
【請求項１】
板状に形成する基板の素材として、フィルタースポンジまたは汎用スポンジとする。
【請求項２】
保持具を二つ折りとするため、基板を左右均等に縦方向に切断分割し、切断部分を開閉のための可動部分とするため、分割された二枚の基盤の底面部分を一連として連結するため、その底面部全面に、化繊布またはパワーネットまたは薄いゴム系シート等を貼着する。
【請求項３】
底面部に化繊布等を貼着した基板の上面略中央部切断部分より左右均等に、平ゴム等を含む帯状テープ等において、そのテープ等の左右それぞれの端をそれぞれの側の基板上面部分に緩みを持って装着し、この緩み部分に指を差し込み保持具を可動させるための保持部とする。
【請求項４】
（請求項１）より（請求項３）までを一体として、ウエットテッシュペーパーまたは不織布ペーパーシート等の装着及び保持具を手の平での可動を可能としたものであり、また携帯や保管し易いように考慮した、保持具を二つ折りとした携帯兼用ウエットテッシュペーパー等保持具である。
【考案の詳細な説明】
【技術分野】
【０００１】  本考案は、ウエットテッシュペーパーまたは不織布ペーパーシート等を多角的また効率的に利用するため、ウエットテッシュペーパー等の装着を可能とし、また携帯としても利用できるように二つ折りとした、ウエットテッシュペーパー等を拭き布として装着するための道具とした保持具に関するものである。
【背景技術】
【０００２】  ウエットテッシュペーパーまたは不織布ペーパーシート等において、安価な拭き布として使い捨てではあるが、使用後の面倒な後処理がなく拭き布とすれば雑巾に準じる十分な効果があるものの、拭き布として利用するためのウエットテッシュペーパー等を装着して使用する道具が、あまり普及されていない。またこれに類似した先行技術として本考案人による実用新案第３１９２９４７号がある。
【考案の概要】
【考案が解決しようとする課題】
【０００３】  ウエットテッシュペーパーまたは不織布ペーパーシート等においては、概ね畳半畳程度であれば布雑巾と同等の効果を有しており、その効果をもっと多角的にまた効率的に活用できるような道具等があれば、その利用範囲として、介護ケア、ペットケア、また床や家具、窓やそれらの枠、また車の運転席付近の清掃等々多方面の幅広い利用が可能であるものの、従来においてこのように利用できる道具等がまだ普及していない。
【課題を解決するための手段】
【０００４】弾性を有する板状のフィルタースポンジまたは汎用スポンジ等を、概ね大人の手の平大以内において適宜とした大きさに保持具本体とする基板を作成し、保持具を二つ折りの折り畳みとするため、基板を左右均等に縦方向半分に切断し、その切断部分を開閉のための可動部分とするため、基板を再度連結し元の一連とした本体基板底面部全面に戻すために、分割された両基板底面部分全面に、化繊布またはパワーネットまたは薄手のゴム系シート等を貼着する。また汎用スポンジの場合、手垢など付着した汚れは落ちにくいため、基板上面部に汚れ防止として薄くしたフィルタースポンジを貼着してもよい。またフィルタースポンジ及び汎用スポンジにおいては、その素材自身に本保持具においては仮止め程度で十分とする、ウエットテッシュペーパー等を貼り付ける能力を有する。【０００５】    また基板を手の平で可動させるためにその保持部として、基板上面略中央部分の切断部分を間に挟むように、平ゴム等を含む帯状テープ等のそれぞれの左右両端部分をそれぞれの側の基板上面部分に、指を差し込むための緩みを設けて装着する。【０００６】  ウエットテッシュペーパー等の装着の方法として、ウエットテッシュペーパー等を広げその中央部分に保持具を乗せ、その左右両端に生じるウエットテッシュペーパー等の余白部分を基板側面に沿って折上げながら基板上面部分に貼り付けるように装着する。
【考案の効果】
【０００７】  問題を解決するために考案した本保持具は柔軟性に富み、布雑巾のような手指の動きに沿った可動も可能であり、またその利用範囲も介護のケア、ペットのケア、また清掃においても狭小な床、窓、電気ストーブ等の排気口の清掃及びそのまま同シートにて同ストーブの簡単な清掃まで、また車の運転席付近の簡単な清掃、等々多岐にわたり、安価なウエットテッシュペーパーや不織布ペーパーシート等を、このように布雑巾に代わる拭き布として利用すれば、後処理の煩わしさもなく子供でも容易に利用できる。また、二つ折りに畳んでおけば非使用時におけるコンパクトな保管ができ、また携帯とする場合は付属品としてヒモ付き小袋を用意し、その中に折り畳んだ本保持具と携帯用ウエットテッシュペーパーを入れておけば、すぐその場で使用出来る。
【図面の簡単な説明】
【０００８】
【図１】  保持具全体の斜視図である。
【図２】  折り畳んだ状態の斜視図である。
【考案を実施するための形態】
【０００９】  本保持具の基板とする素材は、フィルタースポンジまたは汎用のスポンジとするが汎用スポンジにおいては、使用の頻度や時間の経過等により、スポンジの変色や基板の反りなどの劣化により長持ちさせる期待は出来ないが、フィルタースポンジにおいては汎用スポンジのような劣化が無く、長持ちする。またフィルタースポンジ及び汎用スポンジのいずれの素材も素材自身において、ウエットテッシュペーパーや不織布ペーパーシート等に対して、仮止め程度で十分とする貼り付き、すなわち装着の効果を有する。
【００１０】  また、保持具をコンパクトにするため、半分の折り畳み式とする。そのため、その本基板を左右均等縦方向に切断し、その切断部分を開閉の際の可動部分とする。、二枚に切断された基板の底面部のみを再度連結させるため、化繊布またはパワーネットまたは薄いゴム系シート等を、その基板底面部とする全面に貼着する。
【００１１】  また、基板底面部に貼着される化繊布またはパワーネットまたは薄いゴム系シート等においては、開閉部分においての蝶番に代わるものとして、極めて柔軟であり、また繰り返しの開閉においても強靭な耐性を有している。また保持具を手で可動させる際において、被拭き面部とウエットテッシュペーパー等との間においての滑りをより滑り易くするためとした貼着も兼ねる。これら化繊布等は基板の素材とするスポンジの弾性を害することもなく、また湿性ペーパーシートを利用した時において生じるこれら化繊布等における残留湿気は、使用する湿性不織布シートの湿りに揮発性があるため乾きも早く、それによる不都合は無いと言える。
【００１２】  また、基板上面部分に保持具を手の平で可動させるため、指を差し込むための保持部として平ゴム等を含む帯状テープ等を、基板上面略中央部分において切断部分が左右中間になるように、平ゴム等を含む帯状テープの左右それぞれの端部分をそれぞれの側の基板上面部分に、折り畳み重ねた時に不都合が生じない程度に緩みを持たせて装着するものとするが、この緩みが使用時における指を差し込むための保持部となる。
【符号の説明】
【００１３】  １      基板
２      保持部
３      貼着した化繊布生地等及び基板底面部
４      基板切断部分
５      底面部を内側とした折り畳み部分
【図１】
0003197112.tif 000003
【図２】
0003197112.tif 000004
【手続補正書】
【提出日】平成27年2月6日(2015.2.6)
【手続補正１】
【補正対象書類名】実用新案登録請求の範囲
【補正対象項目名】全文
【補正方法】変更
【補正の内容】
【実用新案登録請求の範囲】
【請求項１】
フィルタースポンジまたは汎用スポンジを板状に形成する基板を素材とする携帯兼用ウエットテッシュペーパー保持具。
【請求項２】
前記基板を左右均等に縦方向に切断分割し、切断部分を開閉可能な可動部分とし、分割された二枚の基板の底面部分を一連として連結するため、その底面部全面に化繊布、パワーネットまたは薄いゴム系シートのいずれかを貼着してなる、請求項１記載の携帯兼用ウエットテッシュペーパー保持具。
【請求項３】
前記基板の底面部に化繊布、パワーネットまたは薄いゴム系シートを貼着した基板の上面略中央部切断部分より左右均等に、平ゴムを含む帯状テープからなる、その平ゴムまたは帯状テープの左右それぞれの端をそれぞれの側の基板上面部分に緩みを持って装着し、この緩み部分に指を差し込み保持具を可動させる保持部を有する請求項１または請求項２のいずれかに記載の携帯兼用ウエットテッシュペーパー保持具。